(57)【要約】【課題】  靴の内部における雑菌の繁殖及び臭いの発生を効果的に抑制することができる靴の中敷を提供する。【解決手段】  本体部材４と、本体部材４の片面を覆う表部材６と、から構成される中敷本体８を備え、表部材６と本体部材４との間にはアルミニウム又はその合金から形成されたシート部材１０が設けられている。シート部材１０の表面の少なくとも一部は陽極酸化被膜により覆われており、陽極酸化被膜１２の少なくとも一部には抗菌性金属が析出されている。この抗菌性金属の有する抗菌作用によって靴の内部における雑菌の繁殖を抑制することができるとともに、雑菌による臭いの発生も抑制することができる。【選択図】  図２
0003115442.tif 000002
【実用新案登録請求の範囲】
【請求項１】
本体部材と、前記本体部材の片面を覆う表部材と、から構成される中敷本体を備え、
前記中敷本体にはアルミニウム又はその合金から形成されたシート部材が設けられ、前記シート部材の表面の少なくとも一部は陽極酸化被膜により覆われており、前記陽極酸化被膜の少なくとも一部には抗菌性金属が析出されていることを特徴とする靴の中敷。
【請求項２】
前記シート部材は、前記表部材と前記本体部材との間に介在されていることを特徴とする請求項１に記載の靴の中敷。
【請求項３】
本体部材と、前記本体部材の片面を覆う表部材と、から構成される中敷本体を備え、
前記中敷本体はカーボン材又はアルミニウム材を含んでおり、前記カーボン材又は前記アルミニウム材の表面には抗菌性金属が析出されていることを特徴とする靴の中敷。
【請求項４】
前記カーボン材又は前記アルミニウム材は、前記本体部材に混在されていることを特徴とする請求項３に記載の靴の中敷。
【請求項５】
前記抗菌性金属は、銀又は銅から構成されていることを特徴とする請求項１〜４のいずれかに記載の靴の中敷。
【請求項６】
前記表部材は、畳表材から構成されていることを特徴とする請求項１〜５のいずれかに記載の靴の中敷。
【請求項７】
前記本体部材は、布部材又は樹脂部材から構成されていることを特徴とする請求項１〜６のいずれかに記載の靴の中敷。
【請求項８】
前記中敷本体の外周部には、縁取り部材が取り付けられていることを特徴とする請求項１〜７のいずれかに記載の靴の中敷。
【考案の詳細な説明】
【技術分野】
【０００１】
本考案は、靴の内部における雑菌の繁殖及び臭いの発生を抑制することができる靴の中敷に関する。
【背景技術】
【０００２】
例えば靴を長時間履き続けると、汗などにより靴の内部の湿度が高くなって雑菌が繁殖しやすくなり、靴の内部において雑菌による臭いが発生するようになる。そこで従来より、例えば活性炭の脱臭作用を利用して靴の内部に発生する臭いを除去する靴の中敷が用いられている（例えば、特許文献１参照）。この靴の中敷は、本体部材と、本体部材の片面を覆う表部材と、から構成される中敷本体を備えており、この本体部材と表部材との間には、粉末状の活性炭が混在された不織布シート部材が介在されている。活性炭は臭いを吸着する脱臭作用を有しているので、この中敷を靴の内底部に載置することにより、活性炭の有する脱臭作用によって靴の内部に発生する臭いが除去される。
【０００３】
【特許文献１】実開平６−２９４０３号公報
【考案の開示】
【考案が解決しようとする課題】
【０００４】
しかしながら、上述したような従来の靴の中敷では、靴の内部における雑菌の繁殖を抑制することができず、また活性炭の有する脱臭作用には限界があるため、例えば靴を長時間履き続けた場合などでは、靴の内部に発生する臭いを十分に除去することができないという問題がある。
【０００５】
本考案の目的は、靴の内部における雑菌の繁殖及び臭いの発生を効果的に抑制することができる靴の中敷を提供することである。
【課題を解決するための手段】
【０００６】
本考案の請求項１に記載の靴の中敷では、本体部材と、前記本体部材の片面を覆う表部材と、から構成される中敷本体を備え、
前記中敷本体にはアルミニウム又はその合金から形成されたシート部材が設けられ、前記シート部材の表面の少なくとも一部は陽極酸化被膜により覆われており、前記陽極酸化被膜の少なくとも一部には抗菌性金属が析出されていることを特徴とする。
【０００７】
また、本考案の請求項２に記載の靴の中敷では、前記シート部材は、前記表部材と前記本体部材との間に介在されていることを特徴とする。
さらに、本考案の請求項３に記載の靴の中敷では、本体部材と、前記本体部材の片面を覆う表部材と、から構成される中敷本体を備え、
前記中敷本体はカーボン材又はアルミニウム材を含んでおり、前記カーボン材又は前記アルミニウム材の表面には抗菌性金属が析出されていることを特徴とする。
【０００８】
また、本考案の請求項４に記載の靴の中敷では、前記カーボン材又は前記アルミニウム材は、前記本体部材に混在されていることを特徴とする。
さらに、本考案の請求項５に記載の靴の中敷では、前記抗菌性金属は、銀又は銅から構成されていることを特徴とする。
【０００９】
また、本考案の請求項６に記載の靴の中敷では、前記表部材は、畳表材から構成されていることを特徴とする。
さらに、本考案の請求項７に記載の靴の中敷では、前記本体部材は、布部材又は樹脂部材から構成されていることを特徴とする。
【００１０】
また、本考案の請求項８に記載の靴の中敷では、前記中敷本体の外周部には、縁取り部材が取り付けられていることを特徴とする。
【考案の効果】
【００１１】
本考案の請求項１に記載の靴の中敷によれば、中敷本体にはアルミニウム又はその合金から形成されたシート部材が設けられ、このシート部材の表面を覆う陽極酸化被膜の少なくとも一部には抗菌性金属が析出されているので、この抗菌性金属の有する抗菌作用によって靴の内部における雑菌の繁殖を抑制することが可能となる。またこのように雑菌の繁殖が抑制されることにより、雑菌による臭いの発生を抑制することができ、抗菌性を高めて靴の内部を清潔な状態に保持することが可能となる。また、例えば汗などによって靴の内部の湿度が高くなると、シート部材の陽極酸化被膜に析出された抗菌性金属がイオン化されるようになり、このイオン化された抗菌性金属はより強い抗菌作用を有するので、靴の内部における抗菌性をより高めることが可能となる。
【００１２】
また、本考案の請求項２に記載の靴の中敷によれば、シート部材は、表部材と本体部材との間に介在されているので、シート部材の陽極酸化被膜に析出された抗菌性金属がイオン化された際に、このイオン化された抗菌性金属が表部材を通して靴の内部空間に放出されるようになり、これにより靴の内部における雑菌の繁殖及び臭いの発生を効果的に抑制することが可能となる。
【００１３】
さらに、本考案の請求項３に記載の靴の中敷によれば、中敷本体は、カーボン材又はアルミニウム材を含んでおり、このカーボン材又はアルミニウム材の表面には抗菌性金属が析出されているので、この抗菌性金属の有する抗菌作用によって靴の内部における雑菌の繁殖を抑制することが可能となる。またこのように雑菌の繁殖が抑制されることにより、雑菌による臭いの発生を抑制することができ、抗菌性を高めて靴の内部を清潔な状態に保持することが可能となる。また、例えば汗などによって靴の内部の湿度が高くなると、カーボン材又はアルミニウム材の表面に析出された抗菌性金属がイオン化されるようになり、このイオン化された抗菌性金属はより強い抗菌作用を有するので、靴の内部における抗菌性をより高めることが可能となる。さらに、中敷本体に含まれるカーボン材は臭いを吸着する脱臭作用を有しているので、抗菌性金属の有する抗菌作用に加え、このカーボン材の有する脱臭作用によって靴の内部に発生する臭いを効果的に除去することが可能となる。
【００１４】
また、本考案の請求項４に記載の靴の中敷によれば、カーボン材又はアルミニウム材は本体部材に混在されているので、このカーボン材又はアルミニウム材の表面に析出された抗菌性金属がイオン化された際に、このイオン化された抗菌性金属が表部材を通して靴の内部空間に放出されるようになり、これにより靴の内部における雑菌の繁殖及び臭いの発生を効果的に抑制することが可能となる。
【００１５】
さらに、本考案の請求項５に記載の靴の中敷によれば、抗菌性金属は銀又は銅から構成されているので、銀又は銅の有する抗菌作用によって靴の内部における雑菌の繁殖を抑制することができるとともに、雑菌による臭いの発生を抑制することが可能となる。また、この銀又は銅がイオン化されると、より強い抗菌作用を有する銀イオン又は銅イオンとなり、この銀イオン又は銅イオンが靴の内部空間に放出されることによって、靴の内部における雑菌の繁殖及び臭いの発生をより効果的に抑制することが可能となる。
【００１６】
また、本考案の請求項６に記載の靴の中敷によれば、表部材は畳表材から構成されているので、靴を装着した際の肌触りが良く、快適性を高めることが可能となる。また、この畳表材は吸湿作用や放湿作用などを有しているので、足蒸れなどを防止することができる。畳表材は、多数の藺草材を所要の通りに織ることにより構成されているので、藺草材と藺草材との間には僅かな隙間が形成され、これにより、上述のようにイオン化された抗菌性金属が表部材を通して（すなわち、藺草材と藺草材との隙間を通して）靴の内部空間に放出されるようになり、靴の内部における雑菌の繁殖及び臭いの発生をより効果的に抑制することが可能となる。
【００１７】
さらに、本考案の請求項７に記載の靴の中敷によれば、本体部材は布部材又は樹脂部材から構成されているので、本体部材を適宜の形状に自在に裁断加工することができ、これにより種々のサイズの中敷を容易に得ることが可能となる。また、上述のようにカーボン材又はアルミニウム材を本体部材に混在させる場合において、本体部材が布部材から構成されているときには、カーボン材又はアルミニウム材が布部材の繊維と繊維との間の隙間に入り込むようになり、また本体部材が例えば多孔質性の樹脂部材から構成されているときには、カーボン材又はアルミニウム材が樹脂部材の多数の孔に入り込むようになり、これによりカーボン材又はアルミニウム材を本体部材に効果的に混在させることが可能となる。
【００１８】
また、本考案の請求項８に記載の靴の中敷によれば、中敷本体の外周部には縁取り部材が取り付けられているので、中敷本体の外周部において本体部材と表部材とが互いにばらつくことがなく、この縁取り部材によって中敷本体の外周部を補強することができ、中敷本体の耐久性を高めることが可能となる。
【考案を実施するための最良の形態】
【００１９】
以下、添付図面を参照して、本考案に従う靴の中敷の一実施形態について説明する。図１は、本考案の一実施形態による靴の中敷を示す概略図であり、図２は、図１の靴の中敷を分解して示す分解斜視図であり、図３は、図１の靴の中敷のＡ−Ａ線による概略断面図であり、図４は、図２のシート部材の表面を簡略化して示す部分拡大断面図である。
【００２０】
図１〜図４において、図示の靴の中敷２は、本体部材４及び本体部材４の片面を覆う表部材６から構成される中敷本体８と、この中敷本体８に設けられるシート部材１０と、を備えている。以下、これら各構成要素について説明する。
【００２１】
本体部材４は、例えばシート状の布部材又は樹脂部材などから構成されており、その外形は、靴（図示せず）の内底部の形状と実質上同一又はこれよりも僅かに小さく構成されている。布部材又は樹脂部材は自在に裁断加工することができるので、本体部材４を適宜の形状に裁断加工することにより、種々のサイズの中敷２を容易に得ることができる。
【００２２】
表部材６は、シート状の畳表材から構成されており、その外形は、本体部材４の外形と実質上同一に構成されている。畳表材は多数の藺草材を所要の通りに織ることによって構成され、藺草材と藺草材との間には僅かな隙間が形成されているので、表部材６には多数の隙間（図示せず）が形成されるようになり、これにより後述するようにイオン化された抗菌性金属１４、すなわち銀イオン２４及び／又は銅イオン２６がこれらの隙間を通過するようになる。
【００２３】
シート部材１０は、例えば矩形状のシート状に構成され、アルミニウム又はその合金から形成されている。このシート部材１０の表面の少なくとも一部は陽極酸化被膜１２により覆われており、この陽極酸化被膜１２の少なくとも一部には、銀及び／又は銅から構成される抗菌性金属１４が析出されている（図４参照）。
【００２４】
このシート部材１０の製造方法について簡単に説明すると、まず、アルミニウム又はその合金から形成されたシート部材１０を電解槽（図示せず）内に充填された電解液に浸漬する。電解液としては、例えば硫酸浴、シュウ酸浴又はこれらの混合浴が用いられ、このような浴に金属の硝酸塩としての硝酸銀、硝酸銅又はこれらの双方が添加される。あるいは、このような硝酸塩に代えて、金属の硫酸塩としての硫酸銀、硫酸銅又はこれらの双方を添加するようにしてもよい。電解槽内に設けた一対の電極（図示せず）より交直重畳電流（すなわち、交流電流と直流のプラス側電流とを重畳させた電流）、マイナス波を流すＰＲ電流又はマイナス波を流すパルス波電流が電解液を介してシート部材１０の表面に供給されると、シート部材１０に表面処理が施され、シート部材１０の表面の一部又は全部に陽極酸化被膜１２（所謂、アルマイト被膜）が形成される。この陽極酸化被膜１２は、シート部材１０の表面に形成されるバリヤ層１６と、このバリヤ層１６の表面に形成されて多数の孔１８を有する多孔質層２０と、から構成されており、上述したようにしてシート部材１０に表面処理を施すことにより、この多孔質層２０の多数の孔１８の各々に硝酸塩（又は、硫酸塩）の金属１４（すなわち、抗菌性金属１４）が析出する（図４参照）。例えば、金属の硝酸塩として硝酸銀（又は、硫酸銀）を用いた場合には銀、硝酸銅（又は、硫酸銅）を用いた場合には銅、また硝酸銀及び硝酸銅（又は、硫酸銀及び硫酸銅）の双方を用いた場合には銀及び銅の双方が、多孔質層２０の多数の孔１８の底部に析出される。したがって、シート部材１０に上述した表面処理を施すことにより、シート部材１０の表面を覆う陽極酸化被膜１２の少なくとも一部に銀及び／又は銅から構成される抗菌性金属１４が析出され、このように析出された抗菌性金属１４は抗菌作用を有するので、シート部材１０に抗菌性が付与されることとなる。
【００２５】
次に、本実施形態による靴の中敷２の構造について説明すると、表部材６の他面（図３において下側の面）と本体部材４の片面（図３において上側の面）とが例えば接着剤などにより相互に結合され、これにより本体部材４の片面が表部材６により覆われて中敷本体８が形成される。あるいは、相互に重ね合わせた表部材６及び本体部材４の外周部を糸（図示せず）などで縫合することにより、表部材６及び本体部材４を相互に結合するようにしてもよい。本体部材４の片面（又は、表部材６の他面）の中央部にはシート部材１０が例えば接着剤などにより取り付けられており、これにより表部材６と本体部材４との間にはシート部材１０が介在される。このようにして構成された中敷本体８の外周部には、例えば細長い布部材などから構成される縁取り部材２２が例えば接着剤などにより取り付けられており、これにより中敷本体８の外周部において表部材６と本体部材４とが互いにばらつくのが防止され、中敷本体８の外周部を補強することができる。特に、畳表材から構成される表部材６の外周部は強度的に弱いため、中敷本体８の外周部を縁取り部材２２により覆うことにより、中敷本体８の耐久性を高めることが可能となる。靴の中敷は、左足用の中敷２と、この左足用の中敷２と左右対称の右足用の中敷（図示せず）とが一対となって構成され、図１及び図２では、このうち左足用の中敷２を図示してある。
【００２６】
以上のようにして構成された中敷２は、表部材６が上側になるようにして靴（図示せず）の内底部に着脱自在に載置され、これにより次のような作用効果が達成される。シート部材１０を覆う陽極酸化被膜１２には、上述したように銀及び／又は銅から構成される抗菌性金属１４が析出されているので、この抗菌性金属１４の有する抗菌作用によって靴の内部における雑菌の繁殖を抑制することが可能となる。また、このように雑菌の繁殖が抑制されると、雑菌による臭いの発生を抑制することができ、抗菌性を高めて靴の内部を清潔な状態に保持することが可能となる。さらに、汗などにより靴の内部の湿度が高くなると、陽極酸化被膜１２に析出された抗菌性金属１４がイオン化され、このイオン化された抗菌性金属１４が周囲に放出されるようになる。例えば、金属の硝酸塩として硝酸銀（又は、硫酸銀）を用いた場合には銀イオン２４、硝酸銅（又は、硫酸銅）を用いた場合には銅イオン２６、また硝酸銀及び硝酸銅（又は、硫酸銀及び硫酸銅）の双方を用いた場合には銀イオン２４及び銅イオン２６の双方が発生し、この銀イオン２４及び／又は銅イオン２６は、表部材６に形成された多数の隙間を通して靴の内部空間に放出されるようになる（図３及び図４参照）。この銀イオン２４及び銅イオン２６はより強い抗菌作用を有しているので、これら銀イオン２４及び／又は銅イオン２６が靴の内部空間に放出されることにより、汗や脂分などの分泌物により雑菌が繁殖しやすい靴の内部においても雑菌の繁殖がより確実に抑制され、より高い抗菌性を得ることが可能となる。なお、表部材６は畳表材から構成されているので、靴を装着した際の肌触りが良くなり、また畳表材の有する吸湿作用や放湿作用によって足蒸れなどを防止することができ、靴を装着した際の快適性を高めることが可能となる。
【００２７】
本実施形態では、シート部材１０の外形を矩形状に構成したが、これに限られず、その外形は適宜設定することができる。例えばシート部材１０の外形を本体部材４の外形と実質上同一に構成した場合には、シート部材１０は、表部材６と本体部材４との間の実質上全域に介在されるようになるので、銀イオン２４及び／又は銅イオン２６が靴の内部空間の実質上全域に放出されるようになり、より高い抗菌性を得ることが可能となる。
【００２８】
また、本実施形態では、シート部材１０を中敷本体８の中央部に設けるようにしたが、これに限られず、その配設部位は適宜設定することができる。例えば矩形状に構成したシート部材１０を複数（例えば、３個）用いるようにし、これら複数のシート部材１０を例えば中敷本体８のつま先部、土踏まず部及び踵部にそれぞれ設けるようにしてもよい。また、本実施形態では、シート部材１０を表部材６と本体部材４との間に介在させるようにしたが、本体部材４の他面に取り付けるようにしてもよく、この場合には、銀イオン２４及び／又は銅イオン２６が本体部材４及び表部材６を通して靴の内部空間に放出されるよう、本体部材４を例えば布部材や多孔質性の樹脂部材などのように通気性の高い素材から構成することが好ましい。
【００２９】
次に、図５及び図６を参照して、靴の中敷の他の実施形態について説明する。図５は、他の実施形態による靴の中敷の概略断面図であり、図６は、図５の本体部材に混在させたカーボン材又はアルミニウム材に抗菌性金属を析出させた状態を簡略的に示す部分拡大図である。図５及び図６において、図１〜図４に示す実施形態の構成要素と同一の構成要素には同一の符号を付してその説明を省略する。
【００３０】
この他の実施形態の靴の中敷２Ａでは、本体部材４Ａは、例えば不織布又は織布などの布部材から構成され、本体部材４Ａには粉末状のカーボン材２８が混在されており、このカーボン材２８の表面には後述するようにして抗菌性金属１４Ａが析出されている。カーボン材２８を本体部材４Ａに混在させる際には、例えば無機系接着剤などの接着剤（図示せず）に粉末状のカーボン材２８を混入させ、このカーボン材２８が混入された接着剤を本体部材４Ａの表面に塗布する。これにより、接着剤が本体部材４Ａの繊維３０の隙間に入り込んで繊維３０の周囲に接着され、カーボン材２８が本体部材４Ａに混在されるようになる（図６参照）。あるいは、本体部材４Ａの表面に接着剤を予め塗布しておき、この本体部材４Ａの表面に塗布された接着剤に粉末状のカーボン材２８を例えばヘラなどにより押し込むようにして、カーボン材２８を本体部材４Ａに混在させるようにしてもよい。カーボン材２８は導電性を有しているので、カーボン材２８を本体部材４Ａに混在させることによって本体部材４Ａに導電性が付与され、このような本体部材４Ａに次のような表面処理を施すことにより、カーボン材２８の表面に抗菌性金属１４Ａが析出される。
【００３１】
本体部材４Ａの表面処理方法について簡単に説明すると、まず、本体部材４Ａを電解槽（図示せず）内に充填された電解液に浸漬する。電解液としては、例えば硫酸浴、シュウ酸浴又はこれらの混合浴が用いられ、このような浴に金属の硝酸塩としての硝酸銀、金属の硫酸塩としての硫酸銀又はこれらの双方が添加される。電解槽内に設けた一対の電極（図示せず）より交直重畳電流、マイナス波を流すＰＲ電流又はマイナス波を流すパルス波電流が電解液を介して本体部材４Ａの表面に供給されることにより、本体部材４Ａに表面処理が施される。このように本体部材４Ａに表面処理が施されると、本体部材４Ａに混在させたカーボン材２８の表面に陽極酸化被膜３２が形成され、この陽極酸化被膜３２を形成する多孔質層（図示せず）の多数の孔の各々に硝酸塩（又は、硫酸塩）の金属１４Ａ（すなわち、抗菌性金属１４Ａ）が析出する（図６参照）。したがって、本体部材４Ａに上述した表面処理を施すことにより、カーボン材２８の表面を覆う陽極酸化被膜３２に銀から構成される抗菌性金属１４Ａが析出され、このように析出された抗菌性金属１４Ａは抗菌作用を有するので、本体部材４Ａに抗菌性が付与されることとなる。
【００３２】
本実施形態による靴の中敷２Ａの構造について説明すると、畳表材から構成される表部材６の他面（図５において下側の面）と本体部材４Ａの片面（図５において上側の面）とが例えば接着剤などにより相互に結合され、これにより本体部材４Ａの片面が表部材６により覆われて中敷本体８Ａが形成される。中敷本体８Ａの外周部には、上述した実施形態と同様に、例えば細長い布などから構成される縁取り部材２２が例えば接着剤などにより取り付けられている。
【００３３】
以上のようにして構成された中敷２Ａは、表部材６が上側になるようにして靴（図示せず）の内底部に着脱自在に載置され、これにより次のような作用効果が達成される。本体部材４Ａに混在されたカーボン材２８の表面を覆う陽極酸化被膜３２には、上述したように銀から構成される抗菌性金属１４Ａが析出されているので、この析出された抗菌性金属１４Ａの抗菌作用によって靴の内部における雑菌の繁殖を抑制することが可能となる。また、このように雑菌の繁殖が抑制されると、雑菌による臭いの発生を抑制することができ、抗菌性を高めて靴の内部を清潔な状態に保持することが可能となる。さらに、汗などにより靴の内部の湿度が高くなると、カーボン材２８の表面に析出された抗菌性金属１４Ａがイオン化され、このイオン化された抗菌性金属１４Ａ（すなわち、銀イオン２４Ａ）は、表部材６に形成された多数の隙間を通して靴の内部空間に放出されるようになる。この銀イオン２４Ａはより強い抗菌作用を有しているので、銀イオン２４Ａが靴の内部空間に放出されることにより、汗や脂分などの分泌物により雑菌が繁殖しやすい靴の内部においても雑菌の繁殖がより確実に抑制され、より高い抗菌性を得ることが可能となる。また、カーボン材２８は臭いを吸着する脱臭作用を有するので、抗菌性金属１４Ａの有する抗菌作用に加えて、本体部材４Ａに混在されたカーボン材２８の有する脱臭作用によって、靴の内部に発生する臭いをより効果的に除去することが可能となる。
【００３４】
本実施形態では、本体部材４Ａに粉末状のカーボン材２８を混在させるようにしたが、カーボン材２８に代えて粉末状のアルミニウム材３４を本体部材４Ａに混在させるようにしてもよい。この場合にも本体部材４Ａに導電性が付与されるようになり、導電性が付与された本体部材４Ａに上述したような表面処理を施すことにより、アルミニウム材３４の表面に抗菌性金属１４Ａが析出され、上述したのと同様の作用効果が達成される。あるいは、本体部材４Ａにカーボン材２８及びアルミニウム材３４の双方を混在させるようにしてもよい。
【００３５】
また、本実施形態では、本体部材４Ａを布部材から構成したが、例えばポリウレタン樹脂、ポリプロピレン樹脂、ポリエチレン樹脂又はポリスチレン樹脂などの多孔質性の樹脂部材から構成するようにしてもよい。このような多孔質性の樹脂部材の表面には多数の孔（図示せず）が形成されているので、上述したようにカーボン材２８又はアルミニウム材３４を混在させた接着剤を本体部材４Ａの表面に塗布することにより、カーボン材２８又はアルミニウム材３４がこの多数の孔の各々に入り込み、本体部材４Ａにカーボン材２８又はアルミニウム材３４が混在される。あるいは、カーボン材２８又はアルミニウム材３４を成型前の樹脂部材に予め混入しておき、このようにカーボン材２８又はアルミニウム材３４が混入された状態で樹脂部材の成型を行うようにしてもよい。
【００３６】
また、本実施形態では、本体部材４Ａにカーボン材２８又はアルミニウム材３４を混在させているが、このカーボン材２８又はアルミニウム材３４に加えて、粉末状のシリカゲル材（図示せず）を本体部材４Ａに混在させるようにしてもよい。シリカゲル材は吸水作用及び脱臭作用を有しているので、シリカゲル材を本体部材４Ａに混在させることによって、靴の内部において汗などの水分を除去することができ、これにより足蒸れなどを防止することができるとともに、雑菌の繁殖及び臭いの発生をより効果的に抑制することが可能となる。
【００３７】
以上、本考案に従う靴の中敷の種々の実施形態について説明したが、本考案はかかる実施形態に限定されるものではなく、本考案の範囲を逸脱することなく種々の変形乃至修正が可能である。
【図面の簡単な説明】
【００３８】
【図１】本考案の一実施形態による靴の中敷を示す概略図である。
【図２】図１の靴の中敷を分解して示す分解斜視図である。
【図３】図１の靴の中敷のＡ−Ａ線による概略断面図である。
【図４】図２のシート部材の表面を簡略化して示す部分拡大断面図である。
【図５】他の実施形態による靴の中敷の概略断面図である。
【図６】図５の本体部材に混在させたカーボン材又はアルミニウム材に抗菌性金属を析出させた状態を簡略的に示す部分拡大図である。
【符号の説明】
【００３９】
２，２Ａ  靴の中敷
４，４Ａ  本体部材
６  表部材
８，８Ａ  中敷本体
１０  シート部材
１２，３２  陽極酸化被膜
１４，１４Ａ  抗菌性金属
２２  縁取り部材
２８  カーボン材
３４  アルミニウム材
【図１】
0003115442.tif 000003
【図２】
0003115442.tif 000004
【図３】
0003115442.tif 000005
【図４】
0003115442.tif 000006
【図５】
0003115442.tif 000007
【図６】
0003115442.tif 000008